(57)【特許請求の範囲】
【請求項１】
加入サービス組合せシナリオにおけるサービス品質ＱｏＳパラメータの処理方法であって、
エイリアスアクセスポイントネーム（ＡＰＮ）に対応する加入ＡＰＮを決定するステップであって、前記エイリアスＡＰＮは、ユーザ装置（ＵＥ）のアクセス要求中のＡＰＮにより、及びそのＵＥの加入ＡＰＮとエイリアスＡＰＮとの間の取得された対応関係により、モビリティ管理ネットワーク要素により求められるステップと、
前記加入ＡＰＮのＱｏＳパラメータにより前記エイリアスＡＰＮのＱｏＳパラメータを決定するステップと
を有する方法。
【請求項２】
前記加入ＡＰＮのＱｏＳパラメータによりエイリアスＡＰＮのＱｏＳパラメータを決定するステップは、
前記エイリアスＡＰＮのＱｏＳパラメータとして、合計値を用いるステップであって、前記合計値は、現在アクティブ化されておりエイリアスＡＰＮに対応する加入ＡＰＮのＱｏＳパラメータとエイリアスＡＰＮに対応するすでにアクティブ化されている加入ＡＰＮのＱｏＳパラメータの合計値であるステップ、または
前記エイリアスＡＰＮのＱｏＳパラメータとして、最大値を用いるステップであって、前記最大値は、現在アクティブ化されておりエイリアスＡＰＮに対応する加入ＡＰＮのＱｏＳパラメータとエイリアスＡＰＮに対応するすでにアクティブ化されている加入ＡＰＮのＱｏＳパラメータの最大値であるステップ、または
前記エイリアスＡＰＮのＱｏＳパラメータとして、すべての加入ＡＰＮのＱｏＳパラメータの合計値を用いるステップであって、前記すべての加入ＡＰＮはそのエイリアスＡＰＮに対応するステップ、または
前記エイリアスＡＰＮのＱｏＳパラメータとして、すべての加入ＡＰＮのＱｏＳパラメータの最大値を用いるステップであって、前記すべての加入ＡＰＮはそのエイリアスＡＰＮに対応するステップ、
を有する請求項１に記載の方法。
【請求項３】
前記方法の実行主体が前記モビリティ管理ネットワーク要素である場合、前記方法は、さらに、
前記モビリティ管理ネットワーク要素が、前記エイリアスＡＰＮに対応するサービングゲートウェイエンティティＳＧＷ又はパケットデータゲートウェイエンティティＰＧＷにセッション生成要求を送信するステップと、
前記モビリティ管理ネットワーク要素が、前記エイリアスＡＰＮとそのエイリアスＡＰＮのＱｏＳパラメータとを前記ＵＥに送信するステップと、を有する
請求項１に記載の方法。
【請求項４】
さらに、前記モビリティ管理ネットワーク要素が、ホームサブスクライバーサービスＨＳＳから前記加入ＡＰＮのＱｏＳパラメータを取得するステップを有する、
請求項３に記載の方法。
【請求項５】
前記方法の実行主体がＳＧＷ又はＰＧＷである場合、前記方法は、さらに
前記ＳＧＷ又はＰＧＷが、セッション生成応答メッセージを通して前記モビリティ管理ネットワーク要素に、前記エイリアスＡＰＮとそのエイリアスＡＰＮのＱｏＳパラメータとを送信するステップであって、前記モビリティ管理ネットワーク要素は、前記エイリアスＡＰＮとそのエイリアスＡＰＮのＱｏＳとを前記ＵＥに送信するステップを有する、
請求項１に記載の方法。
【請求項６】
さらに、前記ＳＧＷ又はＰＧＷが、前記モビリティ管理ネットワーク要素により送信されたセッション生成要求から前記加入ＡＰＮのＱｏＳパラメータを取得するステップを有する、
請求項５に記載の方法。
【請求項７】
前記方法の実行主体がポリシー・課金規則機能エンティティＰＣＲＦである場合、前記方法は、さらに、
前記ＰＣＲＦが、ＩＰ−コネクティビティアクセスネットワークＩＰ−ＣＡＮを通してＳＧＷ又はＰＧＷに、前記エイリアスＡＰＮとそのエイリアスＡＰＮのＱｏＳパラメータとを送信するステップであって、前記ＳＧＷ又はＰＧＷが前記エイリアスＡＰＮとそのエイリアスＡＰＮのＱｏＳパラメータとを、セッション生成応答メッセージを通して前記モビリティ管理ネットワーク要素に送信し、前記モビリティ管理ネットワーク要素が前記エイリアスＡＰＮとそのエイリアスＡＰＮのＱｏＳパラメータとを前記ＵＥに送信するようになっているステップを有する、
請求項１に記載の方法。
【請求項８】
さらに、前記ＰＣＲＦが、前記ＳＧＷ又はＰＧＷにより送信された前記ＩＰ−ＣＡＮセッション確立手順メッセージから前記加入ＡＰＮのＱｏＳパラメータを取得するステップを有する、
請求項７に記載の方法。
【請求項９】
前記ＱｏＳパラメータはアクセスポイントネーム合計最大ビットレート（ＡＰＮ−ＡＭＢＲ）を含む、請求項１ないし８いずれか一項に記載の方法。
【請求項１０】
加入サービス組合せシナリオにおけるサービス品質（ＱｏＳ）パラメータの処理装置であって、
エイリアスアクセスポイントネーム（ＡＰＮ）に対応する加入ＡＰＮを決定するように構成された取得モジュールであって、前記エイリアスＡＰＮは、ユーザ装置（ＵＥ）のアクセス要求中のＡＰＮにより、及びそのＵＥの加入ＡＰＮとエイリアスＡＰＮとの間の取得された対応関係により、モビリティ管理ネットワーク要素により求められる取得モジュールと、
前記加入ＡＰＮのＱｏＳパラメータにより前記エイリアスＡＰＮのＱｏＳパラメータを決定するように構成された決定モジュールと
を有する処理装置。
【請求項１１】
前記決定モジュールは、
前記エイリアスＡＰＮのＱｏＳパラメータとして、合計値を用いるように構成された第１ユニットであって、前記合計値は、現在アクティブ化されておりエイリアスＡＰＮに対応する加入ＡＰＮのＱｏＳパラメータとエイリアスＡＰＮに対応するすでにアクティブ化されている加入ＡＰＮのＱｏＳパラメータの合計値である第１ユニット、または
前記エイリアスＡＰＮのＱｏＳパラメータとして、最大値を用いるように構成された第２ユニットであって、前記最大値は、現在アクティブ化されておりエイリアスＡＰＮに対応する加入ＡＰＮのＱｏＳパラメータとエイリアスＡＰＮに対応するすでにアクティブ化されている加入ＡＰＮのＱｏＳパラメータの最大値である第２ユニット、または
前記エイリアスＡＰＮのＱｏＳパラメータとして、すべての加入ＡＰＮのＱｏＳパラメータの合計値を用いるように構成された第３ユニットであって、すべての加入ＡＰＮは前記エイリアスＡＰＮに対応する第３ユニット、または
前記エイリアスＡＰＮのＱｏＳパラメータとして、すべての加入ＡＰＮのＱｏＳパラメータの最大値を用いるように構成された第４ユニットであって、すべての加入ＡＰＮは前記エイリアスＡＰＮに対応する第４ユニット、
を有する請求項１０に記載の装置。
【請求項１２】
前記装置はさらに、
前記エイリアスＡＰＮに対応するサービングゲートウェイエンティティ（ＳＧＷ）又はパケットデータゲートウェイエンティティ（ＰＧＷ）にセッション生成要求を送信するように構成された第１送信モジュールであって、前記セッション生成要求は前記エイリアスＡＰＮとそのエイリアスＡＰＮのＱｏＳパラメータとを含む第１送信モジュールと、
前記エイリアスＡＰＮとそのエイリアスＡＰＮのＱｏＳパラメータとを前記ＵＥに送信するように構成された第２送信モジュールとを有する、
請求項１０に記載の装置。
【請求項１３】
前記装置はさらに、
セッション生成応答メッセージを通して前記モビリティ管理ネットワーク要素に、前記エイリアスＡＰＮとそのエイリアスＡＰＮのＱｏＳパラメータとを送信するように構成された第３送信モジュールであって、前記モビリティ管理ネットワーク要素は、前記エイリアスＡＰＮとそのエイリアスＡＰＮのＱｏＳとをＵＥに送信する第３送信モジュールを有する、
請求項１０に記載の装置。
【請求項１４】
前記装置はさらに、
ＩＰコネクティビティアクセスネットワークＩＰ−ＣＡＮセッション確立手順メッセージを通してＳＧＷ又はＰＧＷに、前記エイリアスＡＰＮとそのエイリアスＡＰＮのＱｏＳパラメータとを送信するように構成された第４送信モジュールであって、前記ＳＧＷ又はＰＧＷが前記エイリアスＡＰＮとそのエイリアスＡＰＮのＱｏＳパラメータとを、セッション生成応答メッセージを通して前記モビリティ管理ネットワーク要素に送信し、前記モビリティ管理ネットワーク要素が前記エイリアスＡＰＮとそのエイリアスＡＰＮのＱｏＳパラメータとを前記ＵＥに送信するようになっている第４送信モジュールを有する、
請求項１０に記載の装置。
【発明の詳細な説明】
【技術分野】
【０００１】
本発明は、移動通信技術に関し、具体的には、加入サービス組合せシナリオにおいてサービス品質（ＱｏＳ）パラメータを処理する方法と装置に関する。
【背景技術】
【０００２】
［関連出願との相互参照］
本願は、中国出願第２０１０１０２７０３３６．１号（２０１０年８月３０日出願、発明の名称「METHOD  AND  DEVICE  FOR  PROCESSING  QOS  PARAMETER  IN  SUBSCRIPTION  SERVICE  COMBINATION  SCENARIO」）の優先権を主張するものである。該出願はここに参照援用する。
［背景技術］
将来のネットワークの競争力を強化するため、３ＧＰＰ（３rd  Generation  Partnership  Project）は、新しい進化ネットワークを提供している。これはＳＡＥ（System  Architecture  Evolution）と名付けられた。ＳＡＥシステムは次のものを含む：ＵＭＴＳ（Evolved  Universal  Mobile  Telecommunication  System）地上無線アクセスネットワーク（ＥＵＴＲＡＮ、Evolved  UMTS  Terrestrial  Radio  Access  Network）、これは進化ネットワークのすべての無線関係機能を実現するのに用いられる；ＭＭＥ（Mobility  Management  Entity）、これは制御プレーンのモビリティ管理を担い、ユーザコンテキスト管理やモビリティ状態管理のみならず一時的ユーザアイデンティティの割り当ても含む；ＳＧＷ（Serving  Gateway）、これは３ＧＰＰアクセスシステム間のユーザプレーンアンカーポイントであり、ＥＵＴＲＡＮのインタフェースを終端する；ＰＤＮゲートウェイ又はＰＧＷ（packet  data  gateway）エンティティ、これは３ＧＰＰアクセスシステムと非３ＧＰＰアクセスシステム間のユーザプレーンアンカーポイントであり、外部ＰＤＮ（Packet  Data  Network）とのインタフェースを終端する；ＰＣＲＦ（Policy  and  Charging  Rule  Function）エンティティ、これはポリシー制御の決定とフローベースの課金制御の機能を実現するのに用いられる；ＨＳＳ（Home  Subscriber  Server）、これはユーザの加入情報を格納するのに用いられる。
【０００３】
ネットワークのＱｏＳパラメータについて、ＳＡＥでは、ＡＰＮ−ＡＭＢＲ（Access  Point  Name  Aggregate  Maximum  Bit  Rate）パラメータが導入される。同一ＡＰＮのすべてのＮｏｎ−ＧＢＲ（Non  Guaranteed  Bit  Rate）ベアラは、ＡＰＮ−ＡＭＢＲを共有する。これは、そのＡＰＮにより確立されたすべてのＮｏｎ−ＧＢＲのトラフィック制御を行うのに用いられる。ＰＧＷがアップリンクとダウンリンクのＡＰＮ−ＡＭＢＲのトラフィック制御を実行し、ＵＥ（User  Equipment）がアップリンクＡＰＮ−ＡＭＢＲのトラフィック制御を実行する。
【０００４】
ネットワークオペレーションの発展に伴い、オペレータのサービスは調整されねばならない。例えば、複数の同様なＡＰＮサービスが調整され、特定のＰＧＷのサービスを提供する。すなわち、複数の同様なＡＰＮサービスが特定のＰＧＷに対応するＡＰＮにマッピングされる必要がある。オペレータは、サービスの買収や合併のため、ユーザの複数の同様なＡＰＮサービスを特定のＡＰＮにマッピングすることが必要になる場合がある。
【０００５】
加入ユーザをまとめて（combined）、そのユーザの複数のＡＰＮサービスがエイリアスＡＰＮにマッピングされる。しかし、複数のＡＰＮサービスが１つのエイリアスＡＰＮにマッピングされると、そのエイリアスＡＰＮのＱｏＳパラメータを決定できない。
【発明の概要】
【課題を解決するための手段】
【０００６】
本発明の実施形態は、加入サービス組合せシナリオにおけるＱｏＳパラメータを処理して、その加入サービス組合せシナリオにおけるエイリアスＡＰＮのＱｏＳパラメータの処理を実施する方法と装置を提供する。
【０００７】
本発明の一実施形態は、加入サービス組合せシナリオにおけるＱｏＳを処理する方法を提供する。該方法は、エイリアスアクセスポイントネームＡＰＮに対応する加入ＡＰＮを決定するステップであって、前記エイリアスＡＰＮは、ユーザ装置ＵＥのアクセス要求中のＡＰＮにより、及びそのＵＥの加入ＡＰＮとエイリアスＡＰＮとの間の取得された対応関係により、モビリティ管理ネットワーク要素により求められるステップと、前記加入ＡＰＮのＱｏＳパラメータにより前記エイリアスＡＰＮのＱｏＳパラメータを決定するステップとを有する。
【０００８】
本発明の一実施形態は、加入サービス組合せシナリオにおけるＱｏＳを処理する装置を提供する。該装置は、エイリアスアクセスポイントネーム（ＡＰＮ）に対応する加入ＡＰＮを決定するように構成された取得モジュールであって、前記エイリアスＡＰＮは、ユーザ装置（ＵＥ）のアクセス要求中のＡＰＮにより、及びそのＵＥの加入ＡＰＮとエイリアスＡＰＮとの間の取得された対応関係により、モビリティ管理ネットワーク要素により求められる取得モジュールと、前記加入ＡＰＮのＱｏＳパラメータにより前記エイリアスＡＰＮのＱｏＳパラメータを決定するように構成された決定モジュールとを有する。
【０００９】
本発明の実施形態により提供される方法では、エイリアスＡＰＮのＱｏＳパラメータは、エイリアスＡＰＮに対応する加入ＡＰＮのＱｏＳパラメータ、又はエイリアスＡＰＮが統計的に設定されているＱｏＳパラメータにより得られ、それにより加入サービスを組み合わせるシナリオにおけるエイリアスＡＰＮのＱｏＳパラメータの処理を実行する。
【図面の簡単な説明】
【００１０】
本発明の実施形態の技術的解決手段をより明確に説明するため、以下に実施形態を説明するための添付図面を簡単に説明する。言うまでもなく、以下に説明する添付図面は、本発明の実施形態を示しており、本技術分野の当業者は、創作的努力をせずとも、これらの添付図面から他の図面に想到することもできるだろう。
【図１】本発明の第１の実施形態による方法を示すフローチャートである。
【図２】本発明の第２の実施形態による方法を示すフローチャートである。
【図３】本発明の一実施形態によるエイリアスＡＰＮのＱｏＳパラメータを決定する実施方式１を示す図である。
【図４】本発明の一実施形態によるエイリアスＡＰＮのＱｏＳパラメータを決定する実施方式２を示す図である。
【図５】本発明の一実施形態によるエイリアスＡＰＮのＱｏＳパラメータを決定する実施方式３を示す図である。
【図６】本発明の一実施形態によるエイリアスＡＰＮのＱｏＳパラメータを決定する実施方式４を示す図である。
【図７】本発明の第３の実施形態による方法を示すフローチャートである。
【図８】本発明の第４の実施形態による方法を示すフローチャートである。
【図９】本発明の第５の実施形態による方法を示すフローチャートである。
【図１０】本発明の第６の実施形態による方法を示すフローチャートである。
【図１１】本発明の第７の実施形態による方法を示すフローチャートである。
【図１２】本発明の第８の実施形態による装置を示す構造図である。
【図１３】本発明の第９の実施形態による装置を示す構造図である。
【図１４】本発明の第１０の一実施形態による装置を示す構造図である。
【図１５】本発明の第１１の実施形態による装置を示す構造図である。
【発明を実施するための形態】
【００１１】
本発明の目的、技術的解決手段、実施形態の効果をより明確にするため、以下に、本発明の実施形態の添付図面を参照して、本発明の実施形態の技術的解決手段を明確かつ完全に説明する。言うまでもなく、説明する実施形態は、本発明の実施形態のすべてではなく、一部だけである。本技術分野の当業者によって創作的努力を要せずに本発明の実施形態に基づき得られる他の実施形態はすべて、本発明の保護範囲内に入る。
【００１２】
図１は、本発明の第１の実施形態による方法を示すフローチャートである。該方法は、
ステップ１１：エイリアスＡＰＮに対応する加入ＡＰＮを決定する。エイリアスＡＰＮは、ＵＥのアクセス要求中のＡＰＮにより、及びそのＵＥの加入ＡＰＮとエイリアスＡＰＮとの間の対応関係により、モビリティ管理ネットワーク要素により求められる。
【００１３】
ステップ１２：加入ＡＰＮのＱｏＳパラメータによりエイリアスＡＰＮのＱｏＳパラメータを決定する。
【００１４】
ＱｏＳパラメータは具体的にはＡＰＮ−ＡＭＢＲであってもよい。
【００１５】
本発明の実施形態では、モビリティ管理ネットワーク要素はＭＭＥであってもよく、ＳＧＳＮ（Serving  GPRS  Support  Node）であってもよい。
【００１６】
一態様では、ＱｏＳパラメータがＡＰＮ−ＡＭＢＲである一例では、表１に示す４つの方式により、加入ＡＰＮのＱｏＳパラメータによるエイリアスＡＰＮのＱｏＳパラメータを決定できる。
【００１７】
【表１】
0005481001.tif 000002
言うまでもなく、４つの実施方式は単なる例であり、本発明の実施形態はこの４つの実施方式に限定されない。
【００１８】
また、エイリアスＡＰＮのＱｏＳパラメータも統計的に設定され得る。例えば、加入ＡＰＮに対応するエイリアスＡＰＮのＡＰＮ−ＡＭＢＲの値である例えばＡＰＮ１は、ＡＰＮ−ＡＭＢＲ１に統計的に設定される。そして、ＡＰＮ１がアクティブ化されると、エイリアスＡＰＮのマッピング（ＡＰＮ１をそれに対応するエイリアスＡＰＮにマッピング）後、ＡＰＮ１に対応するエイリアスＡＰＮのＡＰＮ−ＡＭＢＲの値がＡＰＮ−ＡＭＢＲ１と決められる。
【００１９】
他の態様では、前述のステップを実行するのは、ＭＭＥ、ＳＧＷ／ＰＧＷ、又はＰＣＲＦである。
【００２０】
また他の態様では、前述のステップは、Ａｔｔａｃｈ手順又はUE  Request  PDN  Connectivity手順で実行される。
【００２１】
対応する前述の状況における次の実施形態を参照する。
【００２２】
この実施形態では、エイリアスＡＰＮのＱｏＳパラメータは、エイリアスＡＰＮに対応する加入ＡＰＮのＱｏＳパラメータ、又はエイリアスＡＰＮが統計的に設定されているＱｏＳパラメータにより得られ、それにより加入サービスを組み合わせるシナリオにおけるエイリアスＡＰＮのＱｏＳパラメータの処理を実行する。
【００２３】
図２は、本発明の第２の実施形態による方法を示すフローチャートである。本実施形態では、実行者がＭＭＥであり、ａｔｔａｃｈ手順において上記方法が実行される例を用いる。図２を参照して、この実施形態はつぎのステップを含む：
ステップ２０１：ＵＥ（User  Equipment）は、ｅＮＢ（evolved  base  station）を通じてＭＭＥにａｔｔａｃｈ要求メッセージを送信する。Ａｔｔａｃｈ要求メッセージにはＵＥのＡＰＮが含まれる。
【００２４】
ステップ２０２：ＭＭＥはＵＥ及びＨＳＳと認証を行い、加入データを取得する。
ＵＥの加入ＡＰＮとエイリアスＡＰＮとの間の対応は、ＨＳＳにおいて設定され、加入データの一部としてＨＳＳに保存される。ＵＥの加入ＡＰＮは一又は複数あり、そのＵＥの加入ＡＰＮに対応するエイリアスＡＰＮは一又は複数ある。
ＨＳＳからＭＭＥにより取得される加入データは、ＵＥに対応する加入ＡＰＮと、加入ＡＰＮとエイリアスＡＰＮとの間の対応関係とを含む。加入ＡＰＮのＡＰＮ−ＡＭＢＲがエイリアスＡＰＮのＡＰＮ−ＡＭＢＲを決定するように構成されている場合、加入ＡＰＮのＡＰＮ−ＡＭＢＲを取得する必要がある。
【００２５】
ステップ２０３：ＭＭＥはエイリアスマッピングを行い、エイリアスＡＰＮのＡＰＮ−ＡＭＢＲを決定する。
【００２６】
受信したａｔｔａｃｈ要求中のＡＰＮにより、及び加入ＡＰＮとエイリアスＡＰＮとの間の取得した対応関係により、ＭＭＥはａｔｔａｃｈ要求中のＡＰＮに対応するエイリアスＡＰＮを決定する。例えば、ＵＥによりｅＮＢに送信されたａｔｔａｃｈ要求メッセージがＡＰＮ１を含み、ＭＭＥが認証を行った時に取得した加入データ中のＡＰＮ１に対応するエイリアスＡＰＮがあるエイリアスＡＰＮであるとき、ＭＭＥはＡＰＮ１をそのエイリアスＡＰＮにマップする。
【００２７】
加入ＡＰＮのＱｏＳパラメータがエイリアスＡＰＮのＱｏＳパラメータを決定するように構成されているとき、実行には表１に示した４つの方式のうち一方式を用いる。一例として、エイリアスＡＰＮとそれに対応する加入ＡＰＮであるＡＰＮ１、ＡＰＮ２、・・・ＡＰＮｎを考える。
【００２８】
具体的に、方式１の場合、図３を参照するが、図３は本発明の一実施形態によるエイリアスＡＰＮのＱｏＳパラメータを決定する実施方式１を示す図である。サービス手順では、エイリアスＡＰＮに対応するＡＰＮ−ＡＭＢＲは、すでにアクティブ化されている加入ＡＰＮと、現在アクティブかされるＡＰＮの加入ＡＰＮ−ＡＭＢＲの合計値である。このサービス手順では、エイリアスＡＰＮに対応するＡＰＮ−ＡＭＢＲの値は、アクティブ化された加入ＡＰＮの増加に伴い徐々に増加する。
【００２９】
方式２の場合、図４を参照するが、図４は本発明の一実施形態によるエイリアスＡＰＮのＱｏＳパラメータを決定する実施方式２を示す図である。サービス手順では、エイリアスＡＰＮに対応するＡＰＮ−ＡＭＢＲは、すでにアクティブ化されている加入ＡＰＮと、現在アクティブかされるＡＰＮのＡＰＮ−ＡＭＢＲの最大値である。このサービス手順では、エイリアスＡＰＮに対応するＡＰＮ−ＡＭＢＲの値は、アクティブ化された加入ＡＰＮの増加に伴い徐々に変化する。
【００３０】
方式３の場合、図５を参照するが、図５は本発明の一実施形態によるエイリアスＡＰＮのＱｏＳパラメータを決定する実施方式３を示す図である。サービス手順では、エイリアスＡＰＮに対応するＡＰＮ−ＡＭＢＲは、エイリアスＡＰＮにおけるすべての対応する加入ＡＰＮのＡＰＮ−ＡＭＢＲの合計値であり、サービス手順において変化しない。
【００３１】
方式４の場合、図６を参照するが、図６は本発明の一実施形態によるエイリアスＡＰＮのＱｏＳパラメータを決定する実施方式４を示す図である。サービス手順では、エイリアスＡＰＮに対応するＡＰＮ−ＡＭＢＲは、エイリアスＡＰＮにおけるすべての対応する加入ＡＰＮのＡＰＮ−ＡＭＢＲの最大値であり、サービス手順において変化しない。
【００３２】
また、静的構成を使うこともできる。例えば、ＡＰＮ１がアクティブ化され（ＡＰＮ１はａｔｔａｃｈ要求メッセージで送られてもよいし、ＵＥの加入データ中にデフォルトで設定されていてもよい）、ＡＰＮ１に対応しＨＳＳから取得されるエイリアスＡＰＮがAlias  APNである場合、Alias  APNのＡＰＮ−ＡＭＢＲの値は直接ＡＰＮ−ＡＭＢＲ１に設定される。
【００３３】
ステップ２０４：ＭＭＥはＳＧＷ／ＰＧＷにセッション生成要求（Create  Session  Request）を送信する。この要求はエイリアスＡＰＮとそのエイリアスＡＰＮのＡＰＮ−ＡＭＢＲとを含む。
【００３４】
ＳＧＷ／ＰＧＷはエイリアスＡＰＮに対応し、アップストリームベアラの生成に使われる。
【００３５】
エイリアスＡＰＮのＡＰＮ−ＡＭＢＲの値は、加入ＡＰＮのＡＰＮ−ＡＭＢＲにより取得してもよいし、静的設定により取得してもよい。
【００３６】
ステップ２０５：ＳＧＷ／ＰＧＷは、ＰＣＲＦと、ＩＰコネクティビティアクセスネットワーク（IP-Connectivity  Access  Network、ＩＰ−ＣＡＮ）セッション確立手順を実行する。
【００３７】
ステップ２０６：ＳＧＷ／ＰＧＷは、エイリアスＡＰＮのＡＰＮ−ＡＭＢＲにより、エイリアスＡＰＮにトラフィック制御を行う。
【００３８】
ステップ２０７：ＳＧＷ／ＰＧＷは、セッション生成応答（Create  Session  Response）メッセージをＭＭＥに返す。
【００３９】
ステップ２０８：ＭＭＥは、ｅＮＢによりＵＥに、ａｔｔａｃｈ受諾（Attach  Accept）メッセージを送信する。このメッセージは、エイリアスＡＰＮとそのエイリアスＡＰＮのＡＰＮ−ＡＭＢＲとを含む。
【００４０】
ステップ２０８とステップ２０４−２０７は順序関係（sequential  relationship）を有する。
【００４１】
ステップ２０９：ＵＥは、エイリアスＡＰＮのＡＰＮ−ＡＭＢＲにより、エイリアスＡＰＮにトラフィック制御を行う。
【００４２】
ステップ２１０：ＵＥは、ｅＮＢを通じてＭＭＥにａｔｔａｃｈ完了（Attach  Complete）メッセージを送り、ダウンストリームベアラの生成を完了する。
【００４３】
この実施形態では、ＭＭＥは、ａｔｔａｃｈ手順によりエイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。ＭＭＥによる実行により、エイリアスＡＰＮの特性により生じる他のネットワーク要素への影響が低減され、オペレータはローカルポリシーを適用してベアラに対するＱｏＳ制御を行う。
【００４４】
図７は、本発明の第３の実施形態による方法を示すフローチャートである。本実施形態では、実行者がＭＭＥであり、ＵＥがＰＤＮコネクティビティを要求する（UE  request  PDN  connectivity）手順において上記方法が実行される例を用いる。図７を参照して、この実施形態はつぎのステップを含む：
ステップ７０１：ＵＥは、ｅＮＢを通じてＭＭＥに、ＰＤＮコネクティビティ要求（PDN  Connectivity  Request）メッセージを送る。
【００４５】
ステップ７０２：ＭＭＥはＵＥ及びＨＳＳと認証を行い、加入データを取得する。
【００４６】
加入データは、ＵＥに対応する加入ＡＰＮのＡＰＮ−ＡＭＢＲと、加入ＡＰＮとエイリアスＡＰＮとの間の対応関係とを含む。
【００４７】
ステップ７０３：ＭＭＥはエイリアスマッピングを行い、エイリアスＡＰＮのＡＰＮ−ＡＭＢＲを決定する。
【００４８】
表１に示した４方式のうちの一方式を実行に用いることができる。詳細はステップ２０３を参照願い、説明はくり返さない。
【００４９】
ステップ７０４：ＭＭＥはＳＧＷ／ＰＧＷにセッション生成要求（Create  Session  Request）を送信する。この要求はエイリアスＡＰＮとそのエイリアスＡＰＮのＡＰＮ−ＡＭＢＲとを含む。
【００５０】
ＳＧＷ／ＰＧＷはエイリアスＡＰＮに対応し、アップストリームベアラの生成に使われる。
【００５１】
ステップ７０５：ＳＧＷ／ＰＧＷは、ＰＣＲＦとＩＰ−ＣＡＮセッション確立手順を実行する。
【００５２】
ステップ７０６：ＳＧＷ／ＰＧＷは、エイリアスＡＰＮのＡＰＮ−ＡＭＢＲの値により、エイリアスＡＰＮにトラフィック制御を行う。
【００５３】
ステップ７０７：ＳＧＷ／ＰＧＷは、セッション生成応答（Create  Session  Response）メッセージをＭＭＥに返す。
【００５４】
ステップ７０８：ＭＭＥは、ｅＮＢを通してＵＥに、ＰＤＮコネクティビティ受諾（PDN  Connectivity  Accept）メッセージを送信する。このメッセージは、エイリアスＡＰＮとそのエイリアスＡＰＮのＡＰＮ−ＡＭＢＲとを含む。
【００５５】
ステップ７０９：ＵＥは、エイリアスＡＰＮのＡＰＮ−ＡＭＢＲの値により、エイリアスＡＰＮにトラフィック制御を行う。
【００５６】
ステップ７１０：ＵＥは、ｅＮＢを通じてＭＭＥに、ＰＤＮコネクティビティ完了（PDN  Connectivity  Complete）メッセージを送り、ダウンストリームベアラの生成を完了する。
【００５７】
この実施形態では、決定されたエイリアスＡＰＮのＡＰＮ−ＡＭＢＲは、加入ＡＰＮのＡＰＮ−ＡＭＢＲにより得てもよいし、静的設定によって得てもよい。具体的な実施については第２の実施形態を参照されたい。
【００５８】
この実施形態では、ＭＭＥは、ＵＥ要求のＰＤＮコネクティビティ手順によりエイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。ＭＭＥによる実行により、エイリアスＡＰＮの特性により生じる他のネットワーク要素への影響が低減され、オペレータはローカルポリシーを適用してベアラに対するＱｏＳ制御を行う。
【００５９】
図８は、本発明の第４の実施形態による方法を示すフローチャートである。本実施形態では、実行者がＳＧＷ／ＰＧＷであり、ａｔｔａｃｈ手順において上記方法が実行される例を用いる。図８を参照して、この実施形態はつぎのステップを含む：
ステップ８０１：ＵＥは、ｅＮＢを通じてＭＭＥに、ａｔｔａｃｈ要求（Attach  Request）メッセージを送る。
【００６０】
ステップ８０２：ＭＭＥはＵＥ及びＨＳＳと認証を行い、加入データを取得する。
【００６１】
加入データは、ＵＥに対応する加入ＡＰＮのＡＰＮ−ＡＭＢＲと、加入ＡＰＮとエイリアスＡＰＮとの間の対応関係とを含む。
【００６２】
ステップ８０３：ＭＭＥは、エイリアスマッピングを行い、加入データにより、そのエイリアスＡＰＮに対応する加入ＡＰＮのＡＰＮ−ＡＭＢＲを取得する。
【００６３】
ステップ８０４：ＭＭＥはＳＧＷ／ＰＧＷにセッション生成要求（Create  Session  Request）を送信する。この要求はエイリアスＡＰＮと、加入ＡＰＮのＡＰＮ−ＡＭＢＲとを含む。
【００６４】
ＳＧＷ／ＰＧＷはエイリアスＡＰＮに対応し、アップストリームベアラの生成に使われる。
【００６５】
次に加入ＡＰＮがアクティブ化されると、セッション生成要求（Create  Session  Request）に含まれたＡＰＮ−ＡＭＢＲは、現在アクティブ化されているＡＰＮのＡＰＮ−ＡＭＢＲである。
【００６６】
ステップ８０５：ＳＧＷ／ＰＧＷは、ＰＣＲＦとＩＰ−ＣＡＮセッション確立手順を実行する。
【００６７】
ステップ８０６：ＳＧＷ／ＰＧＷは、エイリアスＡＰＮのＡＰＮ−ＡＭＢＲを決定する。
【００６８】
表１に示した４つの方式のうちの一方式を用いて実施してもよい。また、ＭＭＥによる実行との違いは次の点にある。すなわち、ＭＭＥによる実行においては、加入ＡＰＮのＡＰＮ−ＡＭＢＲはＨＳＳの加入データから取得できる。一方、ＳＧＷ／ＰＧＷによる実行においては、加入ＡＰＮのＡＰＮ−ＡＭＢＲはＭＭＥによりＳＧＷ／ＰＧＷに送信する必要がある。方式の決定は、現在アクティブ化されている加入ＡＰＮのＡＰＮ−ＡＭＢＲと、他の加入ＡＰＮのＡＰＮ−ＡＭＢＲとにより行われる必要があるため、ＡＰＮがアクティブ化されるたびに、ＳＧＷ／ＰＧＷは、エイリアスＡＰＮの計算を行うため、ＭＭＥから送信されるＡＰＮ−ＡＭＢＲを保存する必要がある。
【００６９】
例えば、アクティブ化されたＡＰＮの合計値を用いる場合、ＳＧＷ／ＰＧＷは保存されたＡＰＮ−ＡＭＢＲと現在送信されたＡＰＮ−ＡＭＢＲとを合計して、エイリアスＡＰＮの現在のＡＰＮ−ＡＭＢＲを求める。
【００７０】
ステップ８０７：ＳＧＷ／ＰＧＷは、エイリアスＡＰＮのＡＰＮ−ＡＭＢＲにより、エイリアスＡＰＮにトラフィック制御を行う。
【００７１】
ステップ８０８：ＳＧＷ／ＰＧＷは、ＭＭＥに、セッション生成応答（Create  Session  Response）メッセージを返す。このメッセージはエイリアスＡＰＮと、そのエイリアスＡＰＮのＡＰＮ−ＡＭＢＲとを含む。
【００７２】
ステップ８０９：ＭＭＥは、ｅＮＢによりＵＥに、ａｔｔａｃｈ受諾（Attach  Accept）メッセージを送信する。このメッセージは、エイリアスＡＰＮとそのエイリアスＡＰＮのＡＰＮ−ＡＭＢＲとを含む。
【００７３】
ステップ８１０：ＵＥは、エイリアスＡＰＮのＡＰＮ−ＡＭＢＲの値により、エイリアスＡＰＮにトラフィック制御を行う。
【００７４】
ステップ８１１：ＵＥは、ｅＮＢを通じてＭＭＥにａｔｔａｃｈ完了（Attach  Complete）メッセージを送り、ダウンストリームベアラの生成を完了する。
【００７５】
この実施形態では、決定されたエイリアスＡＰＮのＡＰＮ−ＡＭＢＲは、加入ＡＰＮのＡＰＮ−ＡＭＢＲにより得てもよいし、静的設定によって得てもよい。具体的な実施については第２の実施形態を参照されたい。
【００７６】
この実施形態では、ＳＧＷ／ＰＧＷは、ａｔｔａｃｈ手順によりエイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。ＳＧＷ／ＰＧＷによる実行において、ＳＧＷ／ＰＧＷは、ＰＣＣをアクティブ化せずに、集中的にＱｏＳポリシー決定を行い、それによりローミングシナリオにおけるＱｏＳの不正変更を回避しても良い。
【００７７】
図９は、本発明の第５の実施形態による方法を示すフローチャートである。本実施形態では、実行者がＳＧＷ／ＰＧＷであり、ＵＥ要求のＰＤＮコネクティビティ手順において上記方法が実行される例を用いる。図９を参照して、この実施形態はつぎのステップを含む：
ステップ９０１：ＵＥは、ｅＮＢを通じてＭＭＥに、ＰＤＮコネクティビティ要求（PDN  Connectivity  Request）メッセージを送る。
【００７８】
ステップ９０２：ＭＭＥはＵＥ及びＨＳＳと認証を行い、加入データを取得する。
【００７９】
加入データは、ＵＥに対応する加入ＡＰＮのＡＰＮ−ＡＭＢＲと、加入ＡＰＮとエイリアスＡＰＮとの間の対応関係とを含む。
【００８０】
ステップ９０３：ＭＭＥは、エイリアスマッピングを行い、加入データにより、そのエイリアスＡＰＮに対応する加入ＡＰＮのＡＰＮ−ＡＭＢＲを取得する。
【００８１】
ステップ９０４：ＭＭＥはＳＧＷ／ＰＧＷにセッション生成要求（Create  Session  Request）を送信する。この要求はエイリアスＡＰＮと、加入ＡＰＮのＡＰＮ−ＡＭＢＲとを含む。
【００８２】
ＳＧＷ／ＰＧＷはエイリアスＡＰＮに対応し、アップストリームベアラの生成に使われる。
【００８３】
次に加入ＡＰＮがアクティブ化されると、セッション生成要求（Create  Session  Request）に含まれたＡＰＮ−ＡＭＢＲは、現在アクティブ化されているＡＰＮのＡＰＮ−ＡＭＢＲである。
【００８４】
ステップ９０５：ＳＧＷ／ＰＧＷは、ＰＣＲＦとＩＰ−ＣＡＮセッション確立手順を実行する。
【００８５】
ステップ９０６：ＳＧＷ／ＰＧＷは、エイリアスＡＰＮのＡＰＮ−ＡＭＢＲを決定する。
【００８６】
表１に示した４方式のうちの一方式を実行に用いることができる。詳細はステップ８０６を参照されたい。
【００８７】
ステップ９０７：ＳＧＷ／ＰＧＷは、エイリアスＡＰＮのＡＰＮ−ＡＭＢＲにより、エイリアスＡＰＮにトラフィック制御を行う。
【００８８】
ステップ９０８：ＳＧＷ／ＰＧＷは、ＭＭＥに、セッション生成応答（Create  Session  Response）メッセージを返す。このメッセージはエイリアスＡＰＮと、そのエイリアスＡＰＮのＡＰＮ−ＡＭＢＲとを含む。
【００８９】
ステップ９０９：ＭＭＥは、ｅＮＢを通してＵＥに、ＰＤＮコネクティビティ受諾（PDN  Connectivity  Accept）メッセージを送信する。このメッセージは、エイリアスＡＰＮとそのエイリアスＡＰＮのＡＰＮ−ＡＭＢＲとを含む。
【００９０】
ステップ９１０：ＵＥは、エイリアスＡＰＮのＡＰＮ−ＡＭＢＲの値により、エイリアスＡＰＮにトラフィック制御を行う。
【００９１】
ステップ９１１：ＵＥは、ｅＮＢを通じてＭＭＥに、ＰＤＮコネクティビティ完了（PDN  Connectivity  Complete）メッセージを送り、ダウンストリームベアラの生成を完了する。
【００９２】
この実施形態では、決定されたエイリアスＡＰＮのＡＰＮ−ＡＭＢＲは、加入ＡＰＮのＡＰＮ−ＡＭＢＲにより得てもよいし、静的設定によって得てもよい。具体的な実施については第２の実施形態を参照されたい。
【００９３】
この実施形態では、ＳＧＷ／ＰＧＷは、ＵＥ要求のＰＤＮコネクティビティ手順によりエイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。ＳＧＷ／ＰＧＷによる実行において、ＳＧＷ／ＰＧＷは、ＰＣＣをアクティブ化せずに、集中的にＱｏＳポリシー決定を行い、それによりローミングシナリオにおけるＱｏＳの不正変更を回避しても良い。
【００９４】
図１０は、本発明の第６の実施形態による方法を示すフローチャートである。本実施形態では、実行者がＰＣＲＦであり、ａｔｔａｃｈ手順において上記方法が実行される例を用いる。図１０を参照して、この実施形態はつぎのステップを含む：
ステップ１００１：ＵＥは、ｅＮＢを通じてＭＭＥに、ａｔｔａｃｈ要求（Attach  Request）メッセージを送る。
【００９５】
ステップ１００２：ＭＭＥはＵＥ及びＨＳＳと認証を行い、加入データを取得する。
【００９６】
加入データは、ＵＥに対応する加入ＡＰＮのＡＰＮ−ＡＭＢＲと、加入ＡＰＮとエイリアスＡＰＮとの間の対応関係とを含む。
【００９７】
ステップ１００３：ＭＭＥは、エイリアスマッピングを行い、加入データにより、そのエイリアスＡＰＮに対応する加入ＡＰＮのＡＰＮ−ＡＭＢＲを取得する。
【００９８】
ステップ１００４：ＭＭＥはＰＧＷにセッション生成要求（Create  Session  Request）を送信する。この要求はエイリアスＡＰＮと、加入ＡＰＮのＡＰＮ−ＡＭＢＲとを含む。
【００９９】
ＰＧＷはエイリアスＡＰＮに対応し、アップストリームベアラの生成に使われる。
【０１００】
次に加入ＡＰＮがアクティブ化されると、セッション生成要求（Create  Session  Request）に含まれたＡＰＮ−ＡＭＢＲは、現在アクティブ化されているＡＰＮのＡＰＮ−ＡＭＢＲである。
【０１０１】
ステップ１００５：ＰＧＷはＰＣＲＦにＩＰ−ＣＡＮセッション確立手順（IP-CAN  Session  Establishment  procedure）メッセージを送信する。このメッセージはエイリアスＡＰＮと、加入ＡＰＮのＡＰＮ−ＡＭＢＲとを含む。
【０１０２】
ステップ１００６：ＰＣＲＦは、エイリアスＡＰＮのＡＰＮ−ＡＭＢＲを決定する。
【０１０３】
表１に示した４つの方式のうちの一方式を用いて実施してもよい。また、ＳＧＷ／ＰＧＷによる実行と同様に、ＭＭＥからＳＧＷ／ＰＧＷを通して送信されたＡＰＮ−ＡＭＢＲは、保存され、エイリアスＡＰＮの計算を行えるようにしなければならない。
【０１０４】
例えば、アクティブ化されたＡＰＮの合計値を用いる場合、ＰＣＲＦは保存されたＡＰＮ−ＡＭＢＲと現在送信されたＡＰＮ−ＡＭＢＲとを合計して、エイリアスＡＰＮの現在のＡＰＮ−ＡＭＢＲを求める。
【０１０５】
ステップ１００７：ＰＣＲＦはＳＧＷ／ＰＧＷにＩＰ−ＣＡＮセッション確立手順（IP-CAN  Session  Establishment  procedure）メッセージを送信する。このメッセージはエイリアスＡＰＮと、そのエイリアスＡＰＮのＡＰＮ−ＡＭＢＲとを含む。
【０１０６】
ステップ１００８：ＳＧＷ／ＰＧＷは、エイリアスＡＰＮのＡＰＮ−ＡＭＢＲにより、エイリアスＡＰＮにトラフィック制御を行う。
【０１０７】
ステップ１００９：ＳＧＷ／ＰＧＷは、ＭＭＥに、セッション生成応答（Create  Session  Response）メッセージを返す。このメッセージはエイリアスＡＰＮと、そのエイリアスＡＰＮのＡＰＮ−ＡＭＢＲとを含む。
【０１０８】
ステップ１０１０：ＭＭＥは、ｅＮＢによりＵＥに、ａｔｔａｃｈ受諾（Attach  Accept）メッセージを送信する。このメッセージは、エイリアスＡＰＮとそのエイリアスＡＰＮのＡＰＮ−ＡＭＢＲとを含む。
【０１０９】
ステップ１０１１：ＵＥは、エイリアスＡＰＮのＡＰＮ−ＡＭＢＲの値により、エイリアスＡＰＮにトラフィック制御を行う。
【０１１０】
ステップ１０１２：ＵＥは、ｅＮＢを通じてＭＭＥにａｔｔａｃｈ完了（Attach  Complete）メッセージを送り、ダウンストリームベアラの生成を完了する。
【０１１１】
この実施形態では、決定されたエイリアスＡＰＮのＡＰＮ−ＡＭＢＲは、加入ＡＰＮのＡＰＮ−ＡＭＢＲにより得てもよいし、静的設定によって得てもよい。具体的な実施については第２の実施形態を参照されたい。
【０１１２】
この実施形態では、ＰＣＲＦは、ａｔｔａｃｈ手順によりエイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。ＰＣＲＦによる実行において、ＰＣＲＦは、ＰＣＣをアクティブ化せずに、集中的にＱｏＳポリシー決定を行い、それによりローミングシナリオにおけるＱｏＳの不正変更を回避しても良い。
【０１１３】
図１１は、本発明の第７の実施形態による方法を示すフローチャートである。本実施形態では、実行者がＰＣＲＦであり、ＵＥ要求のＰＤＮコネクティビティ手順において上記方法が実行される例を用いる。図１１を参照して、この実施形態はつぎのステップを含む：
ステップ１１０１：ＵＥは、ｅＮＢを通じてＭＭＥに、ＰＤＮコネクティビティ要求（PDN  Connectivity  Request）メッセージを送る。
【０１１４】
ステップ１１０２：ＭＭＥはＵＥ及びＨＳＳと認証を行い、加入データを取得する。
【０１１５】
加入データは、ＵＥに対応する加入ＡＰＮのＡＰＮ−ＡＭＢＲと、加入ＡＰＮとエイリアスＡＰＮとの間の対応関係とを含む。
【０１１６】
ステップ１１０３：ＭＭＥは、エイリアスマッピングを行い、加入データにより、そのエイリアスＡＰＮに対応する加入ＡＰＮのＡＰＮ−ＡＭＢＲを取得する。
【０１１７】
ステップ１１０４：ＭＭＥはＳＧＷ／ＰＧＷにセッション生成要求（Create  Session  Request）を送信する。この要求はエイリアスＡＰＮと、加入ＡＰＮのＡＰＮ−ＡＭＢＲとを含む。
【０１１８】
ＳＧＷ／ＰＧＷはエイリアスＡＰＮに対応し、アップストリームベアラの生成に使われる。
【０１１９】
次に加入ＡＰＮがアクティブ化されると、セッション生成要求（Create  Session  Request）に含まれたＡＰＮ−ＡＭＢＲは、現在アクティブ化されているＡＰＮのＡＰＮ−ＡＭＢＲである。
【０１２０】
ステップ１１０５：ＳＧＷ／ＰＧＷはＰＣＲＦにＩＰ−ＣＡＮセッション確立手順（IP-CAN  Session  Establishment  procedure）メッセージを送信する。このメッセージはエイリアスＡＰＮと、加入ＡＰＮのＡＰＮ−ＡＭＢＲとを含む。
【０１２１】
ステップ１１０６：ＰＣＲＦは、エイリアスＡＰＮのＡＰＮ−ＡＭＢＲを決定する。
【０１２２】
表１に示した４つの方式のうちの一方式を用いて実施してもよい。また、ＳＧＷ／ＰＧＷによる実行と同様に、ＭＭＥからＳＧＷ／ＰＧＷを通して送信されたＡＰＮ−ＡＭＢＲは、保存され、エイリアスＡＰＮの計算を行えるようにしなければならない。
【０１２３】
例えば、アクティブ化されたＡＰＮの合計値を用いる場合、ＰＣＲＦは保存されたＡＰＮ−ＡＭＢＲと現在送信されたＡＰＮ−ＡＭＢＲとを合計して、エイリアスＡＰＮの現在のＡＰＮ−ＡＭＢＲを求める。
【０１２４】
ステップ１１０７：ＰＣＲＦはＳＧＷ／ＰＧＷにＩＰ−ＣＡＮセッション確立手順（IP-CAN  Session  Establishment  procedure）メッセージを送信する。このメッセージはエイリアスＡＰＮと、そのエイリアスＡＰＮのＡＰＮ−ＡＭＢＲとを含む。
【０１２５】
ステップ１１０８：ＳＧＷ／ＰＧＷは、エイリアスＡＰＮのＡＰＮ−ＡＭＢＲにより、エイリアスＡＰＮにトラフィック制御を行う。
【０１２６】
ステップ１１０９：ＳＧＷ／ＰＧＷは、ＭＭＥに、セッション生成応答（Create  Session  Response）メッセージを返す。このメッセージはエイリアスＡＰＮと、そのエイリアスＡＰＮのＡＰＮ−ＡＭＢＲとを含む。
【０１２７】
ステップ１１１０：ＭＭＥは、ｅＮＢを通してＵＥに、ＰＤＮコネクティビティ受諾（PDN  Connectivity  Accept）メッセージを送信する。このメッセージは、エイリアスＡＰＮとそのエイリアスＡＰＮのＡＰＮ−ＡＭＢＲとを含む。
【０１２８】
ステップ１１１１：ＵＥは、エイリアスＡＰＮのＡＰＮ−ＡＭＢＲの値により、エイリアスＡＰＮにトラフィック制御を行う。
【０１２９】
ステップ１１１２：ＵＥは、ｅＮＢを通じてＭＭＥに、ＰＤＮコネクティビティ完了（PDN  Connectivity  Complete）メッセージを送り、ダウンストリームベアラの生成を完了する。
【０１３０】
この実施形態では、決定されたエイリアスＡＰＮのＡＰＮ−ＡＭＢＲは、加入ＡＰＮのＡＰＮ−ＡＭＢＲにより得てもよいし、静的設定によって得てもよい。具体的な実施については第２の実施形態を参照されたい。
【０１３１】
この実施形態では、ＰＣＲＦは、ＵＥ要求のＰＤＮコネクティビティ手順によりエイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。ＳＧＷ／ＰＧＷによる実行において、ＳＧＷ／ＰＧＷは、ＰＣＣをアクティブ化せずに、集中的にＱｏＳポリシー決定を行い、それによりローミングシナリオにおけるＱｏＳの不正変更を回避しても良い。
【０１３２】
前述の実施形態では、エイリアスＡＰＮのＱｏＳパラメータを決定する４つの実施方式を提供した。しかし、言うまでもなく、実施形態はこれら４つの実施方式に限定されず、エイリアスＡＰＮのＱｏＳパラメータの決定に、他の方式を用いてもよい。他の方式でエイリアスＡＰＮのＱｏＳパラメータを決定してから、前述のインターラクション手順により本方法を実行できる。
【０１３３】
図１２は本発明の第８の実施形態による装置を示す構造図である。本装置は取得モジュール１２１と決定モジュール１２２とを含む。取得モジュール１２１は、エイリアスＡＰＮに対応する加入ＡＰＮを決定するように構成されている。エイリアスＡＰＮは、ＵＥのアクセス要求中のＡＰＮにより、及びそのＵＥの加入ＡＰＮとエイリアスＡＰＮとの間の対応関係により、モビリティ管理ネットワーク要素により求められる。決定モジュール１２２は、加入ＡＰＮのＱｏＳパラメータによりエイリアスＡＰＮのＱｏＳパラメータを決定するように構成されている。
【０１３４】
決定モジュール１２２は、第１ユニット１２２１、第２ユニット１２２２、第３ユニット１２２３、及び第４モジュール１２２４を含む。第１ユニット１２２１は、エイリアスＡＰＮのＱｏＳパラメータとして、合計値を用いるように構成されている。合計値は次のものの合計値である：現在アクティブ化されておりエイリアスＡＰＮに対応する加入ＡＰＮのＱｏＳパラメータとエイリアスＡＰＮに対応するすでにアクティブ化されている加入ＡＰＮのＱｏＳパラメータ。第２ユニット１２２２は、エイリアスＡＰＮのＱｏＳパラメータとして、歳代値を用いるように構成されている。最大値は次のものの最大値である：現在アクティブ化されておりエイリアスＡＰＮに対応する加入ＡＰＮのＱｏＳパラメータとエイリアスＡＰＮに対応するすでにアクティブ化されている加入ＡＰＮのＱｏＳパラメータ。第３ユニット１２２３は、エイリアスＡＰＮのＱｏＳパラメータとして、すべての加入ＡＰＮのＱｏＳパラメータの合計値を用いるように構成されている。ここで、すべての加入ＡＰＮはそのエイリアスＡＰＮに対応する。第４ユニット１２２４は、エイリアスＡＰＮのＱｏＳパラメータとして、すべての加入ＡＰＮのＱｏＳパラメータの最大値を用いるように構成されている。ここで、すべての加入ＡＰＮはそのエイリアスＡＰＮに対応する。
【０１３５】
この実施形態では、エイリアスＡＰＮのＱｏＳパラメータは、そのエイリアスＡＰＮに対応する加入ＡＰＮのＱｏＳパラメータにより得られる。それにより加入サービスを組み合わせるシナリオにおけるエイリアスＡＰＮのＱｏＳパラメータの処理を実行する。
【０１３６】
図１３は、本発明の第９の実施形態による装置を示す構造図である。この実施形態で説明する装置はＭＭＥであり、取得モジュール１３１と決定モジュール１３２を含む。取得モジュール１３１と決定モジュール１３２は、図１２の決定モジュールであってもよい。また、本実施形態の装置は、さらに第１送信モジュール１３３と第２送信モジュール１３４を含む。第１送信モジュール１３３は、エイリアスＡＰＮに対応するＳＧＷ（serving  gateway  entity）又はＰＧＷ（packet  data  gateway  entity）にセッション生成要求（create  session  request）を送信するように構成されている。第２送信モジュール１３４は、エイリアスＡＰＮとそのエイリアスＡＰＮのＱｏＳパラメータとをＵＥに送信するように構成されている。また、取得モジュール１３１は、加入ＡＰＮのＱｏＳパラメータをＨＳＳから取得するように特に構成されている。
【０１３７】
この実施形態では、ＭＭＥは、エイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。
【０１３８】
図１４は、本発明の第１０の一実施形態による装置を示す構造図である。この実施形態で説明する装置はＳＧＷ又はＰＧＷであり、取得モジュール１４１と決定モジュール１４２を含む。取得モジュール１４１と決定モジュール１４２は、図１２の決定モジュールであってもよい。また、本実施形態の装置は、さらに第３送信モジュール１４３を含む。第３送信モジュール１４３は、セッション生成応答メッセージを通してモビリティ管理ネットワーク要素に、エイリアスＡＰＮとそのエイリアスＡＰＮのＱｏＳパラメータとを送信するように構成され、モビリティ管理ネットワーク要素は、エイリアスＡＰＮとそのエイリアスＡＰＮのＱｏＳとをＵＥに送信する。また、取得モジュール１４１は、加入ＡＰＮのＱｏＳパラメータを、ＭＭＥにより送信されたセッション生成要求から取得するように特に構成されている。
【０１３９】
この実施形態では、ＳＧＷ／ＰＧＷは、エイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。
【０１４０】
図１５は、本発明の第１１の実施形態による装置を示す構造図である。この実施形態の装置はＰＣＲＦであり、取得モジュール１５１と決定モジュール１５２を含む。取得モジュール１５１と決定モジュール１５２は、図１２の決定モジュールであってもよい。また、本実施形態の装置は、さらに第４送信モジュール１５３を含む。第４送信モジュール１５３は、ＩＰ−ＣＡＮ（IP-connectivity  access  network）を通してＳＧＷ又はＰＧＷに、エイリアスＡＰＮとそのエイリアスＡＰＮのＱｏＳパラメータを送信するように構成されており、ＳＧＷ又はＰＧＷがエイリアスＡＰＮとそのエイリアスＡＰＮのＱｏＳパラメータとを、セッション生成応答メッセージを通してモビリティ管理ネットワーク要素に送信し、モビリティ管理ネットワーク要素がエイリアスＡＰＮとそのエイリアスＡＰＮのＱｏＳパラメータとをＵＥに送信するようになっている。また、取得モジュール１５１は、加入ＡＰＮのＱｏＳパラメータを、ＳＧＷ／ＰＧＷにより送信されたＩＰ−ＣＡＮセッション確立手順から取得するように特に構成されている。
【０１４１】
この実施形態では、ＰＣＲＦは、エイリアスＡＰＮのＡＰＮ−ＡＭＢＲパラメータを決定し、それによりエイリアスＡＰＮの帯域幅を保証し、ユーザの利益を保護し、オペレータのサービスプランニングを促進する。
【０１４２】
当業者には言うまでもなく、上記実施形態の方法のステップの全部又は一部は、プログラムにより命令された関連ハードウェアにより実施してもよい。プログラムはコンピュータ読み取り可能記憶媒体に格納してもよい。プログラムが実行されると、前述の方法の実施形態のステップが実行される。記憶媒体は、プログラムコードを記憶できる、ＲＯＭ、ＲＡＭ、磁気ディスク、光ディスクなどの様々な媒体を含む。
【０１４３】
最後に、言うまでもなく、上記の本発明の実施形態は、本発明を限定するものではなく、本発明の技術的解決策を説明することを目的としたものである。本発明を上記の実施形態を参照して詳細に説明したが、本技術分野の当業者には言うまでもなく、本発明の実施形態の技術的解決策の精神と範囲から逸脱することなく、上記の実施形態で説明した技術的解決策を修正し、技術的解決策の技術的特徴を等価なもので置き換えることができる。
【図１】
0005481001.tif 000003
【図２】
0005481001.tif 000004
【図３】
0005481001.tif 000005
【図４】
0005481001.tif 000006
【図５】
0005481001.tif 000007
【図６】
0005481001.tif 000008
【図７】
0005481001.tif 000009
【図８】
0005481001.tif 000010
【図９】
0005481001.tif 000011
【図１０】
0005481001.tif 000012
【図１１】
0005481001.tif 000013
【図１２】
0005481001.tif 000014
【図１３】
0005481001.tif 000015
【図１４】
0005481001.tif 000016
【図１５】
0005481001.tif 000017